【手続補正書】
【提出日】平成22年9月17日(2010.9.17)
【手続補正１】
【補正対象書類名】明細書
【補正対象項目名】０５４７
【補正方法】変更
【補正の内容】
【０５４７】
１、２、３、４、７、８、９、１０、１１、１２、１３、１４、１５、１６、１７、１８、１９、２０
【手続補正２】
【補正対象書類名】明細書
【補正対象項目名】０５４８
【補正方法】削除
【補正の内容】
【手続補正３】
【補正対象書類名】明細書
【補正対象項目名】０５４９
【補正方法】削除
【補正の内容】
【手続補正４】
【補正対象書類名】明細書
【補正対象項目名】０５５１
【補正方法】変更
【補正の内容】
【０５５１】
２１、２２
【手続補正５】
【補正対象書類名】明細書
【補正対象項目名】０５５３
【補正方法】変更
【補正の内容】
【０５５３】
２３
【手続補正６】
【補正対象書類名】特許請求の範囲
【補正対象項目名】全文
【補正方法】変更
【補正の内容】
【特許請求の範囲】
【請求項１】
ボタンを押して作業を行う電気電子機器の一部または全体のボタン使用効率を増大させる方法において、
同一時点でオン（ＯＮ）状態である２つ以上のボタンの組み合わせ、組み合わせ順序、または押し方を含む組み合わせ状況によって予め指定された作業を行い、
いずれかの組み合わせ誘導ボタンが、同じ指定作業をもたらす他の組み合わせ誘導ボタンと互いに取り替えられて組み合わせられる場合にも同じ指定作業をもたらすように、前記組み合わせ誘導ボタンを２つ以上指定することを特徴とする電気電子機器のボタン効率増大方法。
【請求項２】
前記組み合わせ誘導ボタンによって誘導される作業は、その他のボタンとの空間的位置関係によっては変化せず、かつ、その他のボタンとの空間的位置関係とは無関係に常に同一に指定されることを特徴とする請求項１に記載の電気電子機器のボタン効率増大方法。
【請求項３】
同一の文字入力モードで、１つのボタンに割り当てられた文字が２つ以上である文字ボタンが存在する場合、
いずれかの前記文字ボタンがオン（ＯＮ）になった状態で、後でその他の文字ボタンがオンになると、後で入力されたその他の前記文字ボタンに割り当てられた文字のうち任意に定められた順序の文字が書かれるように、先にオンになった前記文字ボタンを前記組み合わせ誘導ボタンとして使用することを特徴とする請求項１または２に記載の電気電子機器のボタン効率増大方法。
【請求項４】
同一の文字入力モードで、１つのボタンに割り当てられた文字が２つ以上である文字ボタンが存在する場合、
いずれかの前記文字ボタンがオン（ＯＮ）になった状態で、後で他の文字ボタンがオンになると、先にオンになった前記文字ボタンに割り当てられた文字のうち任意に定められた順序の文字が書かれるように、後でオンになった他のボタンを前記組み合わせ誘導ボタンとして使用することを特徴とする請求項１または２に記載の電気電子機器のボタン効率増大方法。
【請求項５】
同一の文字入力モードで１つのボタンに割り当てられた文字が２つ以上である文字ボタンが存在する場合のボタンを押して作業を行う電気電子機器のボタン使用効率を増大させる方法において、
文字モードでいずれかの前記文字ボタンがオン（ＯＮ）になっている状態で他の文字ボタンがオン（ＯＮ）になると、
先にオン（ＯＮ）になった前記文字ボタンが、後でオン（ＯＮ）になった前記文字ボタンに割り当てられ指定された順番の文字を書けるようにしたり、後でオン（ＯＮ）になった前記文字ボタンが、先にオン（ＯＮ）になった前記文字ボタンに割り当てられ指定された順番の文字を書けるようにする前記組み合わせ誘導ボタンを指定し、
同じ指定順番の文字が書かれるようにする前記組み合わせ誘導ボタンを２つ以上指定することを特徴とする請求項１に記載の電気電子機器のボタン効率増大方法。
【請求項６】
前記組み合わせ誘導ボタンによって誘導される作業は、その他のボタンとの空間的位置関係によっては変化せず、かつ、その他のボタンとの空間的位置関係とは無関係に常に同一に指定されることを特徴とする請求項５に記載の電気電子機器のボタン効率増大方法。
【請求項７】
同一の文字入力モードで、１つのボタンに割り当てられた文字が２つ以上である文字ボタンが存在する場合の、ボタンを押して作業を行う電気電子機器のボタン使用効率を増大させる方法において、
文字モードでいずれかの前記文字ボタンがオン（ＯＮ）になっている状態で他の文字ボタンがオン（ＯＮ）になると、
先にオン（ＯＮ）になった前記文字ボタンが、後でオン（ＯＮ）になった前記文字ボタンに割り当てられた２番目の文字を書けるようにしたり、後でオン（ＯＮ）になった前記文字ボタンが、先にオン（ＯＮ）になった前記文字ボタンに割り当てられた２番目の文字を書けるようにする前記組み合わせ誘導ボタンとしての任意の第１ボタン及び第２ボタンが含まれるように指定し、
前記第１ボタン及び第２ボタンを除いたボタンのうち、先にオン（ＯＮ）になった前記文字ボタンが、後でオン（ＯＮ）になった前記文字ボタンに割り当てられた３番目の文字を書けるようにしたり、後でオン（ＯＮ）になった前記文字ボタンが、先にオン（ＯＮ）になった前記文字ボタンに割り当てられた３番目の文字を書けるようにする前記組み合わせ誘導ボタンとしての任意の第３ボタン及び第４ボタンが含まれるように指定することを特徴とする請求項５に記載の電気電子機器のボタン効率増大方法。
【請求項８】
前記第１ボタン乃至第４ボタンは、下記の表のように割り当てられる場合の数を含むことを特徴とする、請求項７に記載の電気電子機器のボタン効率増大方法。
●関連した代表文字の割り当て表
【表１】
2010517159.tif 000001
【請求項９】
前記第１ボタン乃至第４ボタンを除いたボタンのうち、先にオン（ＯＮ）になった前記文字ボタンが、後でオン（ＯＮ）になった前記文字ボタンに割り当てられた４番目の文字を書けるようにしたり、後でオン（ＯＮ）になった前記文字ボタンが、先にオン（ＯＮ）になった前記文字ボタンに割り当てられた４番目の文字を書けるようにする前記組み合わせ誘導ボタンとしての任意の第５ボタン及び第６ボタンが含まれるように指定することを特徴とする請求項７に記載の電気電子機器のボタン効率増大方法。
【請求項１０】
前記第１ボタン乃至第６ボタンは、下記の表のように割り当てられる場合の数を含むことを特徴とする、請求項９に記載の電気電子機器のボタン効率増大方法。
●関連した代表文字の割り当て表
【表２】
2010517159.tif 000002
【請求項１１】
同一の文字入力モードで１つのボタンに割り当てられた文字が２つ以上である文字ボタンが存在する場合の、ボタンを押して作業を行う電気電子機器のボタン使用効率を増大させる方法において、
文字モードでいずれかの前記文字ボタンがオン（ＯＮ）になっている状態で他の文字ボタンがオン（ＯＮ）になると、
先にオン（ＯＮ）になった前記文字ボタンが、後でオン（ＯＮ）になった前記文字ボタンに割り当てられた１番目の文字を書けるようにしたり、後でオン（ＯＮ）になった前記文字ボタンが、先にオン（ＯＮ）になった前記文字ボタンに割り当てられた１番目の文字を書けるようにする前記組み合わせ誘導ボタンとしての任意の第１ボタン及び第２ボタンが含まれるように指定し、
前記第１ボタン及び第２ボタンを除いたボタンのうち、先にオン（ＯＮ）になった前記文字ボタンが、後でオン（ＯＮ）になった前記文字ボタンに割り当てられた２番目の文字を書けるようにしたり、後でオン（ＯＮ）になった前記文字ボタンが、先にオン（ＯＮ）になった前記文字ボタンに割り当てられた２番目の文字を書けるようにする前記組み合わせ誘導ボタンとしての任意の第３ボタン及び第４ボタンが含まれるように指定し、
前記第１ボタン乃至第４ボタンを除いたボタンのうち、先にオン（ＯＮ）になった前記文字ボタンが、後でオン（ＯＮ）になった前記文字ボタンに割り当てられた３番目の文字を書けるようにしたり、後でオン（ＯＮ）になった前記文字ボタンが、先にオン（ＯＮ）になった前記文字ボタンに割り当てられた３番目の文字を書けるようにする前記組み合わせ誘導ボタンとしての任意の第５ボタン及び第６ボタンが含まれるように指定することを特徴とする請求項５に記載の電気電子機器のボタン効率増大方法。
【請求項１２】
前記第１ボタン乃至第６ボタンは、請求項１０の表のように割り当てられる場合の数を含むことを特徴とする請求項１１に記載の電気電子機器のボタン効率増大方法。
【請求項１３】
同一の文字入力モードで１つのボタンに割り当てられた文字が２つ以上である文字ボタンが存在する場合の、ボタンを押して作業を行う電気電子機器のボタン使用効率を増大させる方法において、
文字モードでいずれかの前記文字ボタンがオン（ＯＮ）になっている状態で他の文字ボタンがオン（ＯＮ）になると、
先にオン（ＯＮ）になった前記文字ボタンが、後でオン（ＯＮ）になった前記文字ボタンに割り当てられた１番目の文字を書けるようにしたり、後でオン（ＯＮ）になった前記文字ボタンが、先にオン（ＯＮ）になった前記文字ボタンに割り当てられた１番目の文字を書けるようにする前記組み合わせ誘導ボタンとしての任意の第１ボタン及び第２ボタンが含まれるように指定し、
前記第１ボタン及び第２ボタンを除いたボタンのうち、先にオン（ＯＮ）になった前記文字ボタンが、後でオン（ＯＮ）になった前記文字ボタンに割り当てられた２番目の文字を書けるようにしたり、後でオン（ＯＮ）になった前記文字ボタンが、先にオン（ＯＮ）になった前記文字ボタンに割り当てられた２番目の文字を書けるようにする組み合わせ誘導ボタンとしての任意の第３ボタン及び第４ボタンが含まれるように指定し、
前記第１ボタン乃至第４ボタンを除いたボタンのうち、先にオン（ＯＮ）になった前記文字ボタンが、後でオン（ＯＮ）になった前記文字ボタンに割り当てられた３番目の文字を書けるようにしたり、後でオン（ＯＮ）になった前記文字ボタンが、先にオン（ＯＮ）になった文字ボタンに割り当てられた３番目の文字を書けるようにする前記組み合わせ誘導ボタンとしての任意の第５ボタン及び第６ボタンが含まれるように指定し、
前記第１ボタン乃至第６ボタンを除いたボタンのうち、先にオン（ＯＮ）になった前記文字ボタンが、後でオン（ＯＮ）になった前記文字ボタンに割り当てられた４番目の文字を書けるようにしたり、後でオン（ＯＮ）になった文字ボタンが、先にオン（ＯＮ）になった前記文字ボタンに割り当てられた４番目の文字を書けるようにする前記組み合わせ誘導ボタンとしての任意の第７ボタン及び第８ボタンが含まれるように指定することを特徴とする請求項５に記載の電気電子機器のボタン効率増大方法。
【請求項１４】
前記第１ボタン乃至第８ボタンは、下記の表のように割り当てられる場合の数を含むことを特徴とする、請求項１３に記載の電気電子機器のボタン効率増大方法。
●関連した代表文字の割り当て表
【表３】
2010517159.tif 000003
【請求項１５】
前記第１ボタン乃至第８ボタンを除いたボタンのうち、先にオン（ＯＮ）になった前記文字ボタンが、後でオン（ＯＮ）になった前記文字ボタンに割り当てられた５番目の文字を書けるようにしたり、後でオン（ＯＮ）になった前記文字ボタンが、先にオン（ＯＮ）になった前記文字ボタンに割り当てられた５番目の文字を書けるようにする前記組み合わせ誘導ボタンとしての任意の第９ボタン及び第１０ボタンが含まれるように指定し、
前記第１ボタン乃至第１０ボタンを除いたボタンのうち、先にオン（ＯＮ）になった前記文字ボタンが、後でオン（ＯＮ）になった前記文字ボタンに割り当てられた６番目の文字を書けるようにしたり、後でオン（ＯＮ）になった前記文字ボタンが、先にオン（ＯＮ）になった前記文字ボタンに割り当てられた６番目の文字を書けるようにする前記組み合わせ誘導ボタンとしての任意の第１１ボタン及び第１２ボタンが含まれるように指定することを特徴とする請求項１３に記載の電気電子機器のボタン効率増大方法。
【請求項１６】
同一文字入力モードで１つのボタンに割り当てられた文字が２つ以上である文字ボタンが存在する場合の、ボタンを押して作業を行う電気電子機器のボタン使用効率を増大させる方法において、
それぞれの前記文字ボタンに割り当てられた１番目の文字を書けるようにする先行または後行の組み合わせ誘導ボタンとしてボタン１を指定したり、
それぞれの前記文字ボタンに割り当てられた２番目の文字を書けるようにする先行または後行の組み合わせ誘導ボタンとしてボタン２を指定したり、
それぞれの前記文字ボタンに割り当てられた３番目の文字を書けるようにする先行または後行の組み合わせ誘導ボタンとしてボタン３を指定したり、
それぞれの前記文字ボタンに割り当てられた４番目の文字を書けるようにする先行または後行の組み合わせ誘導ボタンとしてボタン４を指定したり、
それぞれの前記文字ボタンに割り当てられた５番目の文字を書けるようにする先行または後行の組み合わせ誘導ボタンとしてボタン５を指定したり、
それぞれの前記文字ボタンに割り当てられた６番目の文字を書けるようにする先行または後行の組み合わせ誘導ボタンとしてボタン６を指定したり、
それぞれの前記文字ボタンに割り当てられた７番目の文字を書けるようにする先行または後行の組み合わせ誘導ボタンとしてボタン７を指定したり、
それぞれの前記文字ボタンに割り当てられた８番目の文字を書けるようにする先行または後行の組み合わせ誘導ボタンとしてボタン８を指定したり、
それぞれの前記文字ボタンに割り当てられた９番目の文字を書けるようにする先行または後行の組み合わせ誘導ボタンとしてボタン９を指定したり、
それぞれの前記文字ボタンに割り当てられた１０番目の文字を書けるようにする先行または後行の組み合わせ誘導ボタンとしてボタン０を指定することのうちいずれか一つを含むことを特徴とする電気電子機器のボタン効率増大方法。
【請求項１７】
同一の文字入力モードで１つのボタンに割り当てられた文字が２つ以上である前記文字ボタンが存在する場合の、ボタンを押して作業を行う電気電子機器のボタン使用効率を増大させる方法において、
文字が割り当てられたボタンの特定順番の文字が書かれるようにする前記組み合わせ誘導ボタンで文字が割り当てられていないボタンを指定する場合、前記組み合わせ誘導ボタンが文字ボタンより先行及び後行する場合の前記文字ボタンに割り当てられた書かれる文字の特定順番を互いに異ならせることを特徴とする請求項５に記載の電気電子機器のボタン効率増大方法。
【請求項１８】
１番目の文字が書かれるようにする機能を任意に指定できる第１作業機能に変更し、２番目の文字が書かれるようにする機能を任意に指定できる第２作業機能に変更し、３番目の文字が書かれるようにする機能を任意に指定できる第３作業機能に変更し、４番目の文字が書かれるようにする機能を任意に指定できる第４作業機能に変更し、５番目の文字が書かれるようにする機能を任意に指定できる第５作業機能に変更し、６番目の文字が書かれるようにする機能を任意に指定できる第６作業機能に変更することが、状況に応じて変動し、その機能を指定できるようにすることを特徴とする、請求項７、請求項９、請求項１１、請求項１３または請求項１５のうちいずれか一項に記載の電気電子機器のボタン効率増大方法。
【請求項１９】
前記文字ボタンに割り当てられた"何番目の文字"という文句での"何"は、状況によって変動されるもので、前記文字ボタンに割り当てられた文字が印刷された順序であるか、マルチタップ方式で入力した場合は文字に対応するボタン押し回数であるか、または連続的な昇順でない無作為な数であることを特徴とする、請求項７、請求項９、請求項１１、請求項１３または請求項１５のうちいずれか一項に記載の電気電子機器のボタン効率増大方法。
【請求項２０】
先にオン（ＯＮ）になったボタンがオフ（ＯＦＦ）になった時刻と、からオン（ＯＮ）になったボタンがオン（ＯＮ）になった時刻との間の間隔が所定の時間間隔以内である場合にも、組み合わせとして認識することを特徴とする、請求項１、請求項２、請求項３、請求項４、請求項５、請求項６、請求項７、請求項８、請求項９、請求項１０、請求項１１、請求項１２、請求項１３、請求項１４、請求項１５, 請求項１６のうちいずれか一項に記載の電気電子機器のボタン効率増大方法。
【請求項２１】
ボタンを押して作業を行う電気電子機器の一部または全体のボタン使用効率を増大させる方法において、
キーボードの組み合わせ誘導ボタンの位置割り当てにおいては、左側の組み合わせ誘導ボタンまたは右側の組み合わせ誘導ボタンのうちいずれか一つの組み合わせ誘導ボタンであってもキーボードの上側に位置するように配置することを特徴とする電気電子機器のボタン効率増大方法。
【請求項２２】
図１２に示すように、文字ボタン部、方向ボタン部及び補助数字ボタン部を有するキーボードにおいて、文字ボタン部、方向ボタン部または補助数字ボタン部の位置を互いに変えることを特徴とする電気電子機器のボタン効率増大方法。
【請求項２３】
ボタンを押して作業を行う電気電子機器の一部または全体のボタン使用効率を増大させる方法において、
キーボードに備わった一つのトグルキーに対応する各モードの変更作業においては、前記トグルキーをそのまま置いた状態でモード別に短打、ダブルクリック、トリプルクリック及び長打を含む互いに異なる押し方を割り当て、各モードの変更信号を与えるようにしたことを特徴とする電気電子機器のボタン効率増大方法。